(57)【要約】【課題】タブが変形するのを防止する。【解決手段】フード部１０内には、幅方向に順次隣接する１組ずつのタブ２０間と対向する位置で、且つ高さ方向両側のそれぞれで幅方向にピッチをずらして千鳥状に配置された進入規制部３０が突出して形成され、さらに、タブ２０を挟んで隣接して配置された３つの進入規制部３０の内側に、複数の落とし込み空間３００が連続して形成されている。フード部１０内に挿入される球面体２０１の球面が３つの進入規制部３０の前端に当接して、球面体２０１の中心軸上の頂点２０２が落とし込み空間３００内に進出するように、球面体２０１が落とし込まれた場合に、複数の落とし込み空間３００のいずれにおいても、タブ２０が頂点２０２と平面視で異なる位置に配置される。【選択図】図１
2014053148.tif 000002
【特許請求の範囲】
【請求項１】
奥壁の前面から前方に周壁が突出してなるフード部と、
前記奥壁に対して幅方向に３つ以上並んで装着され、前記周壁の内側において前方に突出して配置されるタブと、
前記フード部内において、前端が前記タブの前端よりも前方に位置し、少なくとも前記タブを挟んだ高さ方向両側にそれぞれ幅方向に３つ以上並び、さらに、前記タブと幅方向で異なる位置に、高さ方向両側のそれぞれで幅方向にピッチをずらして千鳥状に配置された進入規制部とを備え、
前記フード部内において、前記タブを挟んで、隣接して配置された３つの前記進入規制部の内側に、落とし込み空間が形成され、前記落とし込み空間が幅方向に複数連続して配置されており、
前記フード部内に前方から球面体が挿入され、前記球面体の球面が前記３つの前記進入規制部の前端に当接して、前記球面体の中心軸上の頂点が前記落とし込み空間内に進出するように、前記球面体が落とし込まれた場合に、複数の前記落とし込み空間のいずれにおいても、前記タブが前記頂点と平面視で異なる位置に配置されることを特徴とするコネクタ。
【請求項２】
前記高さ方向両側に配置された前記複数の進入規制部がそれぞれ幅方向にほぼ同一ピッチで離間して配置される整列領域を有し、
前記複数の進入規制部の間に位置する前記複数のタブがそれぞれ幅方向にほぼ同一ピッチで離間して配置される整列領域を有していることを特徴とする請求項１記載のコネクタ。
【請求項３】
前記複数の進入規制部が、前記高さ方向両側のそれぞれで幅方向に半ピッチ位相をずらして配置されていることを特徴とする請求項２記載のコネクタ。
【請求項４】
前記複数の進入規制部のそれぞれが、前記高さ方向両側に配置された前記複数の進入規制部の間に位置する前記複数のタブのそれぞれと同じかあるいは同タブよりも大きい幅寸法を有していることを特徴とする請求項１ないし３のいずれか１項記載のコネクタ。
【請求項５】
前記進入規制部の前端が、前記落とし込み空間側へ向けて前方にせり出す逆テーパ状の形態とされていることを特徴とする請求項１ないし４のいずれか１項記載のコネクタ。
【発明の詳細な説明】
【技術分野】
【０００１】
本発明は、コネクタに関する。
【背景技術】
【０００２】
特許文献１には、相手コネクタと嵌合可能な筒状のフード部を備えたコネクタが開示されている。フード部は、奥壁とその前面から前方に突出する周壁とからなる。奥壁には幅方向に並列に配置された複数のタブが装着されている。各タブは、フード部内において前方へ突出して配置されている。
【０００３】
また、フード部内には、複数のリブが突出して形成され、相手コネクタのハウジングには、各リブを受ける複数のリブ受け溝が形成されている。各リブ受け溝内に各リブが嵌合することにより、両ハウジングの嵌合動作が円滑に進行する一方、両ハウジングが正規と異なる不正な嵌合姿勢をとる場合には、各リブの先端が相手コネクタの壁面に干渉して、両ハウジングの嵌合動作が規制されるようになっている。
【先行技術文献】
【特許文献】
【０００４】
【特許文献１】特開２０１１−４０３２７号公報
【発明の概要】
【発明が解決しようとする課題】
【０００５】
上述した各リブはコネクタの誤嵌合防止等を目的とするため、各リブの配列にとくに規則性はなく、各リブの本数が少ないのに加え、各リブと各タブとの位置関係についてもとくに配慮されていなかった。このため、フード部内に前方から偶発的に異物が挿入されると、異物が各リブ間をすり抜けてタブと干渉し、タブが変形するおそれがあった。とりわけ、指先のような先端が半球面状をなす球面体が挿入されると、球面体の頂点部分がフード部内の奥側に深く進出するため、リブの先端が球面体の頂点部分と干渉し易いという事情があった。
【０００６】
本発明は上記のような事情に基づいて完成されたものであって、タブが変形するのを防止することを目的とする。
【課題を解決するための手段】
【０００７】
本発明のコネクタは、奥壁の前面から前方に周壁が突出してなるフード部と、前記奥壁に対して幅方向に３つ以上並んで装着され、前記周壁の内側において前方に突出して配置されるタブと、前記フード部内において、前端が前記タブの前端よりも前方に位置し、少なくとも前記タブを挟んだ高さ方向両側にそれぞれ幅方向に３つ以上並び、さらに、前記タブと幅方向で異なる位置に、高さ方向両側のそれぞれで幅方向にピッチをずらして千鳥状に配置された進入規制部とを備え、前記フード部内において、前記タブを挟んで、隣接して配置された３つの前記進入規制部の内側に、落とし込み空間が形成され、前記落とし込み空間が幅方向に複数連続して配置されており、前記フード部内に前方から球面体が挿入され、前記球面体の球面が前記３つの前記進入規制部の前端に当接して、前記球面体の中心軸上の頂点が前記落とし込み空間内に進出するように、前記球面体が落とし込まれた場合に、複数の前記落とし込み空間のいずれにおいても、前記タブが前記頂点と平面視で異なる位置に配置されるところに特徴を有する。
【発明の効果】
【０００８】
本発明によれば、フード部内に前方から球面体が挿入されると、球面体の球面が隣接する３つの進入規制部の前端に当接して、球面体の中心軸上の頂点が落とし込み空間内に進出することになるが、このとき、タブが頂点と平面視で異なる位置に配置されているため、頂点にタブが干渉することはなく、球面体のような異物によってタブが変形するのを防止することができる。とくに、複数の進入規制部が、タブと幅方向で異なる位置に、高さ方向両側のそれぞれで幅方向にピッチをずらして千鳥状に配置されているため、球面体の頂点を中心として３つの進入規制部に接する円の直径が小さくなるのに加え、球面体の頂点から離れた位置にタブが配置されることになる。その結果、タブが異物と干渉するのをより効果的に回避することができる。
【図面の簡単な説明】
【０００９】
【図１】本発明の実施例１に係るコネクタの正面図である。
【図２】図１のＡ−Ａ線断面図である。
【図３】相手コネクタの断面図である。
【図４】正規嵌合状態にある両コネクタの断面図である。
【図５】参考例１のコネクタの正面図である。
【図６】参考例２のコネクタの正面図である。
【発明を実施するための形態】
【００１０】
本発明の好ましい形態を以下に示す。
前記高さ方向両側に配置された前記複数の進入規制部がそれぞれ幅方向にほぼ同一ピッチで離間して配置される整列領域を有し、前記複数の進入規制部の間に位置する前記複数のタブがそれぞれ幅方向にほぼ同一ピッチで離間して配置される整列領域を有している。これにより、整列領域では各落とし込み空間の開口幅もほぼ同一となるため、部分的に開口幅の広い落とし込み空間が生じることはなく、開口幅の広い落とし込み空間内に球面体の頂点が深く進出して、タブが球面体に干渉するのを回避することができる。
【００１１】
前記複数の進入規制部が、前記高さ方向両側のそれぞれで幅方向に半ピッチ位相をずらして配置されている。これにより、整列領域における各進入規制部の配列の規則性が担保される。
【００１２】
前記複数の進入規制部のそれぞれが、前記高さ方向両側に配置された前記複数の進入規制部の間に位置する前記複数のタブのそれぞれと同じかあるいは同タブよりも大きい幅寸法を有している。こうすると、タブが進入規制部によって保護されて異物と干渉し難くなるため、タブが変形するのをより確実に防止することができる。
【００１３】
前記進入規制部の前端が、前記落とし込み空間側へ向けて前方にせり出す逆テーパ状の形態とされている。こうすると、フード部内に挿入された異物が落とし込み空間の外側に誘導されてタブと干渉するのをより確実に回避することができる。
【００１４】
＜実施例１＞
本発明の実施形態１を図１〜図４によって説明する。なお、以下の説明において、前後方向については、コネクタと相手コネクタの相互の嵌合面側を前方とする。
本実施例のコネクタは、合成樹脂製のフード部１０を備えている。図１及び図２に示すように、フード部１０は、高さ方向及び幅方向に沿って配置される奥壁１１と、奥壁１１の前面から前方に突出し且つ幅方向に細長く延びる形態の周壁１２とを有している。フード部１０内には、前方から相手コネクタが嵌合可能とされている。周壁１２の外面の幅方向両端部には、一対のカムフォロア１３が突出して形成されている。カムフォロア１３は、円柱状をなし、後述する相手コネクタのレバー８０に形成されたカム溝８１に係合可能とされている。
【００１５】
奥壁１１には、図１に示すように、複数の導電金属製のタブ２０及び板状タブ２１が装着されている。タブ２０及び板状タブ２１は、奥壁１１の前面から前方に突出する形態とされ、奥壁１１の前面において幅方向に複数並列に配置されている。板状タブ２１は、幅方向に沿って扁平な板状をなし、フード部１０内における図示右側の高さ方向略中央部に幅方向に対をなして配置されている。
【００１６】
タブ２０は、前後方向に細長い角ピン状をなし、フード部１０内において上下２段で且つ幅方向に多数（３つ以上）並列に配置されている。具体的には、各タブ２０は、フード部１０の高さ方向中央より少し上方の高さ位置を挟んだ上下対称位置に配置され、高さ方向及び幅方向に関してそれぞれ同一ピッチで離間して配置されている。なお、各タブ２０が整列して配置される領域を整列領域と称する。
【００１７】
また、図１に示すように、フード部１０内には、各タブ２０と平行に配置される複数の進入規制部３０が形成されている。各進入規制部３０は、奥壁１１の前面から前方に突出する形態とされ、前後方向に沿って周壁１２の内面に一体に連結されている。そして、各進入規制部３０は、各タブ２０を挟んだ高さ両側にそれぞれ幅方向に多数（３つ以上）並列に配置されている。各進入規制部３０の前端は、各タブ２０の前端よりも前方に位置し、それぞれほぼ同じ前後位置に配置されている。
【００１８】
具体的には各進入規制部３０は、互いにほぼ同様の形状とされ、その内端が高さ方向両側のそれぞれでほぼ同じ高さ位置に揃って配置されている。また、各進入規制部３０は、高さ方向の略全高に亘ってほぼ同幅で構成され、その幅寸法はタブ２０の幅寸法よりも充分に大きくされている。
【００１９】
さらに、図１に示すように、各進入規制部３０は、それぞれ幅方向に同一ピッチで離間し、幅方向に関して各タブ２０と異なる位置にずれて配置されている。具体的には、上段の各進入規制部３０は、幅方向で順次隣接する１組ずつの上段のタブ２０間と対向する位置に配置され、詳細には幅方向で隣接する上段のタブ２０間の幅方向中央と幅方向に関してほぼ同じ位置に配置されている。もっとも、上段の進入規制部３０は、図示右端の１組の上段のタブ２０間と対向する位置には設けられていない。
【００２０】
一方、下段の各進入規制部３０は、上段のタブ２０とは１つ分だけずれて、幅方向で順次隣接する１組ずつのタブ２０間と対向する位置に配置され、詳細には幅方向で隣接する下段のタブ２０間の幅方向中央と幅方向に関してほぼ同じ位置に配置されている。もっとも、下段の進入規制部３０は、図示左端の下段のタブ２０より左側にも設けられており、上段の進入規制部３０よりも１つ多くしてある。これにより、各進入規制部３０は、高さ方向両側でそれぞれ幅方向にピッチをずらして配置されることになり、詳細には半ピッチ位相をずらして配置されることになる。なお、各進入規制部３０が整列して配置される領域を整列領域と称する。
【００２１】
また、フード部１０内の右端側には、各進入規制部３０と平行に配置される第２進入規制部３１が形成されている。第２進入規制部３１は、各進入規制部３０と同様に、奥壁１１の前面から前方に突出する形態とされ、前後方向に沿って周壁１２の内面に一体に連結されている。そして、第２進入規制部３１は、図１に示すように、周壁１２の内面に連結される幅狭の基端部３２とフード部１０の高さ方向中央側（後述する落とし込み空間３００側）に臨む幅広の先端部３３とで全体として断面略Ｔ字形をなし、図示右側の板状タブ２１を挟んだ高さ方向両側に対をなして配置されている。
【００２２】
各進入規制部３０及び各第２進入規制部３１のそれぞれの前端は、図２に示すように、内側（フード部１０の高さ方向中央側であって、後述する落とし込み空間３００側）に行くに従って次第に前方へせり出す逆テーパ部３４とされている。また、各進入規制部３０及び各第２進入規制部３１のそれぞれの内端は、逆テーパ部３４によって先端尖がり状に角張った形態になっている。本実施例の場合、逆テーパ部３４の傾斜角は、各進入規制部３０及び各第２進入規制部３１のそれぞれでほぼ同一に設定されている。
【００２３】
さらに、図１に示すように、フード部１０内の右側には、各進入規制部３０と各第２進入規制部３１との間に、第３進入規制部３５が形成されている。第３進入規制部３５は、奥壁１１の前面から前方に突出して図示左側の板状タブ２１の周りを囲むように配置され、周壁１２の内面には連結されていない。具体的には第３進入規制部３５は、板状タブ２１とタブ２０との間を隔てる板厚の大きい厚肉縦壁３６と、一対の板状タブ２１の間を隔てる厚肉縦壁３６よりも板厚の小さい薄肉縦壁３７と、厚肉縦壁３６及び薄肉縦壁３７の両上端に連結される横壁３８とを有している。
【００２４】
相手コネクタは、図３に示すように、ハウジング５０、リテーナ６０、フロントマスク７０及びレバー８０を備えている。
ハウジング５０は、ブロック状のハウジング本体５１と、ハウジング本体５１の周りを取り囲む筒状の嵌合筒部５２とを有している。図４に示すように、ハウジング本体５１と嵌合筒部５２との間には、前方からフード部１０の周壁１２が挿入される。ハウジング本体５１の外面にはシールリング５５が嵌着されており、嵌合時にはシールリング５５が周壁１２とハウジング本体５１との間に弾性的に圧縮され、両コネクタ間のシールをとることが可能となっている。
【００２５】
また、ハウジング本体５１には、各タブ２０及び各板状タブ２１と対応する位置に、複数のキャビティ５３が形成されている。図３に示すように、各キャビティ５３内には、後方から雌型端子金具９０が挿入され、さらに雌型端子金具９０に圧着されたゴム栓９５が密着して挿入される。そして、各雌型端子金具９０は電線１００の端末部に接続され、各電線１００はハウジング本体５１の後面から後方に引き出される。
【００２６】
ハウジング本体５１の下面には、図３に示すように、全キャビティ５３と連通するリテーナ装着部５４が凹み形成されている。リテーナ６０は、リテーナ装着部５４内に挿入されて各雌型端子金具９０を抜け止め状態で係止する役割をはたす。嵌合筒部５２の下壁には、リテーナ６０が通過する逃がし凹部５６が開口して形成されている。また、嵌合筒部５２の両側壁には、レバー８０が回動可能に支持されている。レバー８０には一対のカム溝８１（図４で一部図示）が形成されている。両コネクタが浅く嵌合されたときに、両カム溝８１に両カムフォロア１３が進入し、レバー８０の回動操作に伴い、両カム溝８１の溝面を両カムフォロア１３が摺動してカム作用が発揮され、これによって両コネクタが低操作力で嵌合されるようになっている。
【００２７】
フロントマスク７０は、ハウジング本体５１の前面を覆う前板７１と、前板７１の周縁から後方に突出する周板７２とを有している、図４に示すように、前板７１には、各キャビティ５３と対応する位置に、タブ２０を挿入可能な複数のタブ挿入孔７３が開口して形成されている。また、フロントマスク７０には、嵌合時に進入規制部３０及び第２進入規制部３１が挿入される複数の進入規制受け溝７４が形成されている。各進入規制受け溝７４は、前板７１から周板７２にかけて前後方向に延出する形態とされている。そして、各進入規制受け溝７４は、各進入規制部３０及び各第２進入規制部３１のそれぞれと対応する位置に幅方向に並列に配置されている。なお、周板７２の下面には、リテーナ６０の下壁が挿入される部分が開口しており、リテーナ６０の下壁にも、複数の進入規制受け溝７４が周壁１２側から連続して形成されている。
【００２８】
ところで、本実施例の場合、周壁１２に各進入規制受け溝７４が形成されているため、周壁１２の板厚を確保するべくフロントマスク７０が径方向に拡張し、その分、フロントマスク７０を受けるフード部１０の開口寸法も大きくなるという事情がある。その結果、フード部１０内に前方から指等の異物が入り込み易く、該異物によって各タブ２０及び各板状タブ２１が変形するおそれがある。
【００２９】
上記に鑑み、各進入規制部３０、各第２進入規制部３１及び各第３進入規制部３５（以下、各進入規制部３０等という）は、こうした異物が各タブ２０及び各板状タブ２１（以下、各タブ２０等という）と接触しないように、各タブ２０等との位置関係を考慮して配列が決められている。
【００３０】
詳しくは、図２に示すように、異物として円柱部材２００が用意され、円柱部材２００の先端部が各タブ２０等に接触しないように、各進入規制部３０等の位置が規定されている。円柱部材２００の先端部は、例えば、指先や治具を模したものであって、半球面状の球面を有する球面体２０１として構成される。球面体２０１の球面の中心軸上には頂点２０２が位置しており、球面体２０１がフード部１０内に挿入されたときには、球面のうちで頂点２０２がフード部１０の奥側（後述する落とし込み空間３００）に最も深く進出するようになっている。
【００３１】
図１に示すように、上下２段の各タブ２０を挟んで隣接配置された３つの進入規制部３０の間には、フード部１０内に前方から円柱部材２００が挿入されたときに、球面体２０１が落とし込まれる落とし込み空間３００が形成されている。同様の落とし込み空間３００は、周壁１２の内面、第２進入規制部３１及び第３進入規制部３５によって区画される内側にも形成され、フード部１０内において各落とし込み空間３００が幅方向に連続して配置されている。このため、球面体２０１は、フード部１０内の幅方向一端から他端にかけて、各落とし込み空間３００内に順次落とし込まれ、上下動しながら幅方向に移動可能とされている。
【００３２】
整列領域では、図１に示すように、球面体２０１は、上記３つの進入規制部３０の各前端に球面が支持された状態で、落とし込み空間３００内に落とし込まれる。また、球面体２０１は、球面が第２、第３進入規制部３１、３５の前端に支持され、他の落とし込み空間３００内にも落とし込まれる。このとき、球面体２０１の頂点２０２は、いずれの落とし込み空間３００内においても、各タブ２０等と接触することはない。つまり、本実施例においては、各落とし込み空間３００内に球面体２０１が落とし込まれた場合に、球面体２０１の頂点２０２と各タブ２０等の前端とが平面視で互いに異なる位置に配置されるように設定されている。さらに、本実施例においては、各落とし込み空間３００内に球面体２０１が落とし込まれた場合に、各タブ２０等が頂点２０２を含めた球面体２０１のいずれの部分とも接触しないように担保されている。
【００３３】
ここで、図５は、各進入規制部３０Ａが上下２段の各タブ２０と幅方向で異なる位置に配置されている点では本実施例と同じであるが、各進入規制部３０Ａが高さ方向両側のそれぞれで幅方向において同じ位置に配置されている点で本実施例とは異なる参考例１を示している。参考例１の場合、落とし込み空間３００Ａは各タブ２０を挟んで隣接配置された４つの進入規制部３０Ａの間に規定され、球面体２０１の球面は４つの進入規制部３０Ａの各前端に支持されることになる。そうすると、４つの進入規制部３０Ａの各前端に接する円の直径は、本実施例における３つの進入規制部３０の各前端に接する円の直径よりも大きくなり、その分、落とし込み空間３００Ａ内への頂点２０２の進出量も、本実施例の場合よりも大きくなる。このため、図５に示す参考例１は、本実施例と比べて、タブ２０と球面体２０１との干渉を回避する設定にし難いという事情がある。
【００３４】
また、図６は、各進入規制部３０Ｂが高さ方向両側のぞれぞれで幅方向にピッチをずらして配置されている点で本実施例と同じであるが、各進入規制部３０Ｂが上下２段の各タブ２０と幅方向に１つ置きで同じ位置に配置されている点で本実施例とは異なる参考例２を示している。参考例２の場合、本実施例と同様、落とし込み空間３００は各タブ２０を挟んで隣接配置された３つの進入規制部３０Ｂの間に規定され、球面体２０１の球面は３つの進入規制部３０Ｂの各前端に支持されることになる。
【００３５】
しかし、参考例２においては、平面視において、落とし込み空間３００内に落とし込まれた球面体２０１の頂点２０２と上段の進入規制部３０Ｂとを結ぶ高さ方向の直線軸Ｓ１上にタブ２０が位置するようになっている。このため、頂点２０２とタブ２０とを結ぶ直線距離は、短くなる傾向にある。したがって、参考例２は、タブ２０と球面体２０１との干渉を回避する設定にし難いという事情がある。
【００３６】
その点、本実施例においては、図１に示すように、頂点２０２と上段の進入規制部３０とを結ぶ高さ方向の直線軸Ｓ上の位置から外れてタブ２０が位置するため、タブ２０が頂点２０２から充分に離れて位置することになる。その結果、本実施例は、参考例１、２と比べて、球面体２０１とタブ２０との干渉を回避可能な設定にし易く、タブ２０の変形を効果的に防止することが可能となっている。
【００３７】
また、本実施例によれば、各進入規制部３０がそれぞれ幅方向にほぼ同一ピッチで離間して配置される整列領域を有し、高さ方向両側に配置された各進入規制部３０の間に位置する各タブ２０もそれぞれ幅方向にほぼ同一ピッチで離間して配置される整列領域を有しているため、整列領域における各落とし込み空間３００をそれぞれほぼ同じ開口幅を有するものに揃えることができる。したがって、部分的に開口幅の広い落とし込み空間３００が生じることはなく、開口幅の広い落とし込み空間３００内に球面体２０１の頂点２０２が深く進出して、タブ２０が球面体２０１に干渉するのを回避することができる。
【００３８】
また、各進入規制部３０が高さ方向両側のそれぞれで幅方向に半ピッチ位相をずらして配置されているため、整列領域における各進入規制部３０の配列の規則性も担保される。
【００３９】
さらに、各進入規制部３０のそれぞれが、高さ方向両側に配置された各進入規制部３０の間に位置する各タブ２０よりも大きい幅寸法を有しているため、各タブ２０が進入規制部３０によって保護されて異物と干渉し難くなる。その結果、各タブ２０が変形するのをより確実に防止することができる。
【００４０】
さらにまた、各進入規制部３０の前端が落とし込み空間３００側へ向けて前方にせり出す逆テーパ状の逆テーパ部３４とされているため、フード部１０内に挿入された異物が落とし込み空間３００の外側へ誘導されてタブ２０と干渉するのをより確実に回避することができる。
【００４１】
＜他の実施例＞
本発明は上記記述及び図面によって説明した実施例に限定されるものではなく、例えば次のような態様も本発明の技術的範囲に含まれる。
（１）第２進入規制部及び第３進入規制部の少なくとも一方は省略されてもよい。
（２）各進入規制部は各タブと同一幅で構成されるものであってもよい。
（３）各進入規制部の少なくとも一つは、周壁の内面から離間して配置されるものであってもよい。こうすると、成形時に周壁にヒケが生じたり、周壁が傾いたりするのを防止することができる。
（４）周壁の内面には、各進入規制部と対向する反対側の位置（各進入規制部と背合わせの位置）に、前後方向に延出する肉抜き部が凹み形成されるものであってもよい。これによっても、成形時に周壁にヒケが生じたり、周壁が傾いたりするのを防止することができる。
（５）上記（４）の構成において、周壁の外面には、各肉抜き部と交差連通する方向に延出して延出方向両端が開口する水抜き部が形成されるものであってもよい。周壁の外面に肉抜き部が凹み形成されると、肉抜き部に水が溜まり易いという事情があるが、この構成によれば、水が水抜き部を通して外部に排水されるため、肉抜き部に水溜まりが発生するのが防止される。
【符号の説明】
【００４２】
１０…フード部
１１…奥壁
１２…周壁
２０…タブ
３０…進入規制部
３４…逆テーパ部
２０１…球面体
２０２…頂点
３００…落とし込み空間
【図１】
2014053148.tif 000003
【図２】
2014053148.tif 000004
【図３】
2014053148.tif 000005
【図４】
2014053148.tif 000006
【図５】
2014053148.tif 000007
【図６】
2014053148.tif 000008